(57)【特許請求の範囲】
【請求項１】
食器等を収容する洗浄槽を有する本体と、前記洗浄槽内の洗浄水を加圧する洗浄ポンプと、前記洗浄ポンプによって加圧された洗浄水を前記洗浄槽内に噴射する洗浄ノズルと、機器の操作またはおよび動作変化に対応した音声またはメロディによる有音データの報知を行う報知手段と、前記報知手段を動作させて報知する制御手段とを備え、前記制御手段は、前記機器の操作または動作変化からの機器音発生時間に応じた長さの無音データに続き、音声またはメロディの有音データを持った報知データを記憶手段に記憶し、機器の操作またはおよび動作変化の際にそれらに対応した報知データを読み出し、この読み出した報知データにより報知手段を動作させ報知することを特徴とする食器洗い機。
【請求項２】
機器の異常を検知する検知手段を有し、異常の検知があると制御手段は直ちにブザーと異常に対応した音声またはメロディによる報知を行い、用いる報知データは報知初期部分のブザーデータと、報知開始からブザーデータよりも長い無音データに続く音声またはメロディの有音データとである請求項１に記載の食器洗い機。
【請求項３】
制御手段は、報知データの無音データの時間を報知内容に応じて変化させる請求項１又は２に記載の食器洗い機。
【発明の詳細な説明】
【技術分野】
【０００１】
本発明は、機器の操作またはおよび動作変化に対応した報知を、音、特に音声やメロディで行なう食器洗い機に関するものである。
【背景技術】
【０００２】
この種の食器洗い機は図６に例示するような構成のものが既に知られている（例えば、特許文献１参照。）。このものは、洗浄槽を内蔵した本体ａの前面の開口に例えば上下に開くドアｂ、ｃを有している。ドアｂ、ｃは下側のドアｂに備えたハンドルｄの操作で互いに連動して開閉される。ドアｂ、ｃにより開口を閉じることで洗浄槽を密閉し、洗浄液をポンプによって供給される各所のノズルが種々な向きで洗浄水を噴射しながら回転して洗浄する際の水漏れを防止する。このため、ドアｂ、ｃに閉じ異常があると水漏れを防止できない。そこで、特許文献１はドアｂ、ｃの開閉を下側のドアｂの左右２箇所に対して開閉を検知する検知スイッチｅ、ｆを設けてドア開閉を検知し、ドア閉じ状態に異常があると報知する技術を開示しており、報知音の数や間隔、長さの違いになどよって報知の内容を告知できるようにしている。特許文献１には報知手段が圧電ブザーであり、これに代るスピーカや発光ダイオードでもよい旨、および１つの検知スイッチにより異常を検知する場合よりも対応が確実である旨、の記載がある。
【０００３】
一方、オフィスコンピュータ、パーソナルコンピュータ、ファクシミリにおいて音声によるガイダンスを行う電子機器において、キー入力操作に慣れないユーザに対し
音声による操作ガイダンスを行ってユーザの便宜を図るのに、音声ガイダンスの重要度に応じて短く設定した待ち時間後に音声ガイダンスの出力を行い、音声ガイダンスの重要でないものほど待ち時間を短くしてユーザの慣れなどに応じた音声ガイダンスを行わない設定を間に合いやすくすることで、重要な音声ガイダンスの出力確率を高めながら、重要でない音声ガイダンスほど初回から実行しないように設定できる確率を高めて、ユーザの便宜を図りつつも過剰な音声ガイダンスの実行にてユーザに煩わしさや気障りとなるようなことを回避する技術も知られている（例えば、特許文献２参照。）。
【特許文献１】特開２０００−３２５２８９号公報
【特許文献２】特許第２６６１７０１号公報
【発明の開示】
【発明が解決しようとする課題】
【０００４】
ところで、本発明者は、音声やメロディなどの音にて食器洗い機などの各種機器の操作またはおよび動作の変化に対応した報知を行い、使用しやすく、また的確に使用されやすい機器の開発に携わるなか、報知対象となる操作や動作の変化があると特許文献１に記載のもののように直ちに報知を行うのでは、報知が使用者にとって必ずしも有効でないことがあることを知見した。
【０００５】
具体的には、機器を操作するのと同時にする報知は、例えば１つのスイッチによるロータリ方式で順次切り換えるような場合においては、所望の選択に到るまでにスイッチを切り換えるたびに音声報知がなされ、煩わしさを感じたり、機器に操作されているような不快感を受けたりする。また、その操作によって開始する機器の高負荷な初期動作音と重なって聞き取れなかったり、機器がプログラムに従った動作を自動的に終了するのと同時にする報知は、機器のプログラム上の動作が終了しても食器洗い機や洗濯機などでは排水音が続いていたり、モータ、ノズル、ファンといった動作機器が惰性で動作を続けていたりする音との重なりによって聞き取れなかったりする。また、機器において操作異常や動作異常の報知は重要であるが、これらの異常報知に異常に伴なう一時的な機器音が万一にも重なり聞き取りにくくなるのは大きな問題である。このようなことはブザー音による報知などでも同様であり、報知内容が明確な音声報知などでは特に聞き取りにくくなるし、メロディ報知でもその違いが分かり難い。これらに対処するのに本発明者は、適正な順次切り換えのタイミングや機器からの音と重なるタイミングを外して報知を行うことを着想した。
【０００６】
次に、このようなことは、目的、効果において相違するが、報知を本来行うタイミングから遅らせて実行する点では特許文献２に記載の報知技術を採用することはできる。しかし、特許文献２に記載の技術では音声データとともに、それに対応した時間データをも記憶しておき、音声報知をするのに音声データとともに時間データをも読み出し、音声データ読み出しから開始する計時が読み出した時間データに対応すると判定したとき、読み出した音声データによる報知を実行するので、計時と計時結果が読み出した時間データに一致したかどうかの判定との２つの動作を必要とするので、情報処理が複雑になってコスト高になる。
【０００７】
本発明の目的は、機器からの音と重なるタイミングを避けての分かりやすい音報知を簡単な情報処理にて達成できる食器洗い機を提供することにある。
【課題を解決するための手段】
【０００８】
上記のような目的を達成するために、本発明の食器洗い機は、食器等を収容する洗浄槽を有する本体と、前記洗浄槽内の洗浄水を加圧する洗浄ポンプと、前記洗浄ポンプによって加圧された洗浄水を前記洗浄槽内に噴射する洗浄ノズルと、機器の操作またはおよび動作変化に対応した音声またはメロディによる有音データの報知を行う報知手段と、前記報知手段を動作させて報知する制御手段とを備え、前記制御手段は、前記機器の操作または動作変化からの機器音発生時間に応じた長さの無音データに続き、音声またはメロディの有音データを持った報知データを記憶手段に記憶しておき、機器の操作またはおよび動作変化の際にそれらに対応した報知データを読み出し、この読み出した報知データにより報知手段を動作させ報知することを１つの特徴としている。
【０００９】
このような構成では、食器洗い機の機器の操作またはおよび動作変化に対応して報知手段を動作させて音による報知を行うのに、報知初期部分の無音データに続き、音声またはメロディの有音データを持った報知データを記憶手段から読み出し利用することにより、報知データの報知初期部分に設定される無音データ分だけそれに続く音声またはメロディでの有音データ部分により報知手段を動作させた音声報知を、計時やそれが所定の時間に到達したことの判定などなく、１つの音声データによる報知を実行するだけで遅らせ、機器からの音との重なりを回避した報知ができる。
【００１３】
機器の異常を検知する検知手段を有し、異常の検知があると制御手段は直ちにブザーと異常に対応した音声またはメロディによる報知を行い、用いる報知データは報知初期部分のブザーデータと、報知開始からブザーデータよりも長い無音データに続く音声またはメロディの有音データとである、さらなる構成では、
音声またはメロディによる機器異常時の分かりやすい報知を、報知初期部分の無音データによる機器音との重なりを避けた遅延状態にて達成するのに加え、機器異常時に報知初期部分のブザーデータによる報知を直ちに実行することで、機器音との重なりはあっても単純な報知で音声またはメロディよりは聞き取られやすいことを利用して、音声やメロディによる遅延した報知に先立ち使用者に機器異常をいち早く気付かせやすい。しかも、音声またはメロディによる報知初期部分の無音データによる遅延は報知初期部分のブザーデータよりも長い時間分に設定されていることで、ブザー音による報知にこれより遅延して行う音声またはメロディによる報知が重なって聞き取られ難くなることも回避することができる。
【００１４】
制御手段は、報知データの無音データの時間を報知内容に応じて変化させる、さらなる構成では、
音声またはメロディにて報知する機器異常の違いによって機器音との重なり時間に差のあることに対応することができる。
【発明の効果】
【００１８】
本発明の食器洗い機の１つの特徴によれば、機器の操作またはおよび動作変化に対応して報知手段を動作させての音声またはメロディなどの音による報知を、報知データの報知初期部分に設定される無音データ分だけ遅延させられ、計時やそれが所定の時間に到達したことの判定などなく、報知初期に無音データを含む１つの音声データを用いるだけの簡単なデータ処理にて、機器音との重なりを回避し聞き取られやすくすることができ、コストが低減する。
【００２１】
音声またはメロディによる機器異常時の分かりやすい報知を機器音との重なりを避けた遅延状態にて達成するのに加え、機器異常時にブザーデータによる報知を直ちに実行して機器音と重なりながらも単純な報知で聞き取られやすいことにより、音声やメロディによる遅延した報知に先立ち使用者に機器異常をいち早く気付かせやすいし、音声またはメロディによる報知はその報知初期部分の無音データを利用したブザー音との重なり回避によって聞き取られやすくするので、機器の異常報知に好適である。
【００２２】
報知データの無音データの時間を報知内容に応じて変化させることで、音声またはメロディにて報知する機器異常の違いによって機器音との重なり時間に差のあることに対応することができる。
【発明を実施するための最良の形態】
【００２３】
以下、本発明の実施の形態に係る食器洗い機について図１〜図５を参照しながら説明し、本発明の理解に供する。なお、以下の説明は本発明の具体例であって特許請求の範囲の記載内容を限定するものではない。
【００２４】
本実施の形態の食器洗い機は既述したような基本構成を有し、図１に示す本体１に食器類を収容して洗浄を行う洗浄槽２を内部に有し、前面には食器類を洗浄槽２に出し入れするためのドア１ａを有した開口１ｂが設けられている。ドア１ａは閉じると開口１ｂまわりに設けた係合部にフック片が弾性係合することで閉じ状態にロックされるようになっており、ハンドルを操作して開くときはそのロックが自動的に解除されるようになっている。洗浄槽２は給水弁３から洗浄水を供給されて底部に溜める。洗浄槽２の底部に溜めている洗浄水は洗浄ポンプ４によって洗浄槽２内に回転自在に支持されている図示しない洗浄ノズルに供給し、洗浄ノズルからその反力回転を伴い洗浄槽２に収容している食器類に向けて噴出する。洗浄槽２の底部には水位検知手段１０があり洗浄槽２内の水位を検知し、電気信号として出力する。一方、洗浄槽２の底部にはヒータ５が配設され、洗浄水を加熱し洗浄水による洗浄効果を高める。これに併せ、洗浄槽２の底部に外側より密着するように取り付けた図示しないサーミスタなどの温度検知手段９を設けて、洗浄水の水温や洗浄槽２の温度を熱伝導により検知し、それらの温度制御に供する。また、洗浄槽２の底部内の洗浄水を排出する排水ポンプ６や、洗浄槽２内の蒸気を排気口から本体１外へ送り出し洗浄後の食器を乾燥させる送風ファン７も洗浄槽２のまわりに設けてある。開口１ｂまわりの本体１内にはドア１ａの開閉を検知するドア開閉検知手段８が設けられている。本体１はまた、給水弁３、洗浄ポンプ４、ヒータ５、排水ポンプ６、送風ファン７などを負荷制御手段１１を介して駆動し、洗い、すすぎ、乾燥の各行程を逐次制御する制御装置１２を内蔵している。
【００２５】
このような制御のために、本体１の前面にはドア１ａの下などに図２に示すような操作パネル１３が設けられている。操作パネル１３には電源を「入り」「切り」する電源入りスイッチ１４、電源切りスイッチ１５、運転開始および一時停止を行うスタート入力手段としてのスタートスイッチ１６、コースを設定するコーススイッチ１７、乾燥の時間を設定する乾燥スイッチ１８などを設けた入力手段２１と、それらの操作に応じた表示をＬＥＤなどによって行う操作表示手段２２とが設けられている。
【００２６】
制御装置１２は、マイクロコンピュータで構成し、入力手段２１により設定された入力と、ドア開閉検知手段８、温度検知手段９、水位検知手段１０からの入力情報とに応じて、負荷制御手段１１を介し給水弁３、洗浄ポンプ４、ヒータ５、排水ポンプ６、送風ファン７などの負荷と、ＬＥＤなどの操作表示手段２２と、報知手段３１を予め定められたシーケンスに沿って制御する。報知手段３１は通常、ドア開閉検知手段８からのドア開閉情報により検知する閉じ異常、水位検知手段１０からの水位情報により検知する給水異常や排水異常、運転終了などに際して動作させる。これらのために、異常を判定し検知する異常検知手段３２を制御装置１２の内部機能として備えている。なお、負荷制御手段１１や制御装置１２は電源回路１３３にて生成された電源が供給される。
【００２７】
ここで、以上のような食器洗い機の一連の動作について、その概略を説明する。使用者が食器類を食器かごに配置して洗浄槽２に収納し、洗剤を入れ、ドア１ａを閉めた後に電源入りスイッチ１４とスタートスイッチ１６との操作で運転を開始すると、まず洗浄槽２の底部に水位検知手段１０が所定の水位を検知するまで給水弁３から水道水が給水される。そして、洗浄ポンプ４およびヒータ５に通電され、洗浄水は加熱されながら洗浄ポンプ４により食器類に向けて洗浄ノズルから噴出される。
【００２８】
このとき、温度検知手段９により洗浄水の温度を検知し、制御装置１２は常に洗浄水の温度を把握している。洗浄水の温度が所定の温度に到達し、かつ、洗浄開始から所定時間経過したとき、制御装置１２は洗浄行程を終了し、排水ポンプ６に通電して、一旦洗浄水を排水する。
【００２９】
つぎに、新たに水道水が給水され、前述の洗浄行程と同様の動作を数分間行い排水する。このすすぎ行程を数回くり返した後、加熱すすぎ行程と称する洗浄行程と同様の動作を行い、所定温度に到達し、かつ、所定時間経過したとき、これを終了として排水する。最後に送風ファン７を運転して洗浄槽２内の蒸気を機外へ排出すると同時に、ヒータ５に間欠に通電を行い食器類を加熱して、付着している水滴を乾燥させる。
【００３０】
このような構成において、異常検知手段３２による異常検知や運転終了に際して報知手段３１を動作させて使用者に報知するのに、従来、単純なブザー音やＬＥＤによっていたのに代って、本実施の形態では、図１に示すように報知手段３１として、音声報知手段３１ａ、メロディ報知手段３１ｂ、ブザー報知手段３１ｃを設けて、「音声」「メロディ」「ブザー」による報知ができるようにするのに併せ、これら報知につき「音声」「メロディ」「ブザー」もしくは「切り」の切換えを行わせる報知切り換え手段３３を入力手段２１に設けて、例えば１つのスイッチによるロータリ方式での切り換え状態を操作表示手段２２に設けたＬＥＤ３３ａ〜３３ｄが順次に繰り返し点灯することによって確認できるようにしながら、異常検知手段３２による異常検知時や運転終了時に制御装置１２の内部機能を利用した制御手段３４により報知の切り換えに応じた報知を行うようにしている。なお、音声報知手段３１ａ、メロディ報知手段３１ｂは共通の出力機器とすることができるし、場合によってはブザー報知手段３１ｃをも共通の出力機器とすることもできる。しかし、ブザー報知手段３１ｃは圧電ブザーといった簡単なものを採用するとコストがほとんど掛からず駆動制御が簡単になる利点がある。
【００３１】
このような報知制御では、異常検知時や運転終了時に制御手段３４により報知手段３１を動作させて離れた使用者にも告知しやすい音での報知を行うのに、報知が報知切り換え手段３３による「音声」「メロディ」「ブザー」もしくは「切り」の切換えに従って行われるので、使用者は報知の内容が分かりやすい「音声」「メロディ」の順に選択するように切り換えて、慣れや他の機器など使用環境との関係などから報知状態の単純化を図っていき、場合によっては最も単純な「ブザー」を選択する切り換えを行い、報知を行わない「切り」を選択する切り換えも含め、使用者は４種類の報知状態が設定できるようになる。この結果、異常検知や動作終了に関した離れた使用者にも告知しやすい音での報知を、報知の内容が分かりやすい「音声」「メロディ」「ブザー」「切り」の順に単純化し、また報知の省略を図る使用者の選択に基づき実行して使用しやすく的確で素早い対応ができるようにしながら、過剰な報知による不満や他の機器への影響を与えにくい食器洗い機を提供することができる。
【００３２】
もっとも、報知は「音声」「メロディ」「ブザー」のうち少なくとも２つによって行なう場合でも本発明は有効である。
【００３３】
また、本実施の形態では、制御手段３４によって「音声」「メロディ」「ブザー」での報知を行うときの音量を変更する音量切り換え手段３５を入力手段２１として設け、例えば１つのスイッチによる「小」「中」「大」といったロータリ方式での切り換え状態を操作表示手段２２として設けたＬＥＤ３５ａ〜３５ｃが順次に繰り返し点灯することによって確認できるようにしながら、切り換え操作できるようにしている。これにより、使用者は自身の希望や環境との関係から、音量切り換え手段３５によって報知モードの種類の違いにかかわらず、それらの音量を「小」「中」「大」などと順次に変更することができる。
【００３４】
この場合、「メロディ」「ブザー」の音量は「一定音量」のみとし、音量切り換え手段３５は「音声」の音量のみを変更するようにもできる。このようにすると、使用者や環境に影響しにくい「メロディ」「ブザー」での報知モードで一定音量、例えば離れた使用者にも告知しやすくまた使用者や環境に影響しない適度な一定音量としながら、使用者や環境に影響しやすい「音声」での報知モードでは音量切り換え手段３５により音量を変更することができるようになる。
【００３５】
また、報知の「切り」への切り換え状態では、異常検知手段３２により異常が検知されると制御手段３４は報知手段３１を動作させるようにすることができる。これにより、報知が「切り」に切り換えられているときでも、異常が検知されると報知手段３１を動作させて報知を行うので、異常についての報知が行われなくなるのを回避することができる。
【００３６】
一方、このような報知が食器洗い機など機器からの運転終了時の残音などと重なると使用者に聞き取られ難くなる。また、異常報知が異常時の一時的な音と万一にも重なって聞き取られにくくなるのは問題である。そこで、本実施の形態では、制御手段３４が報知手段３１にて機器の操作またはおよび動作変化に対応した音による報知を行う場合、図３に示すように報知初期部分の無音データＤ０１に続きブザー、音声またはメロディの有音データＤ０２を持った報知データＤ０を図１に示す制御装置１２の内部機能などによる記憶手段４１に記憶しておき、機器の操作またはおよび動作変化の際にそれらに対応した報知データＤ０を読み出し、この読み出した報知データＤ０により報知手段３１である音声報知手段３１ａ、メロディ報知手段３１ｂ、ブザー報知手段３１ｃのいずれかを動作させるようにしてしている。これにより、機器の操作またはおよび動作変化に対応して制御手段３４が報知手段３１を動作させて音による報知を行うのに、報知初期部分の無音データＤ０１に続きブザー、音声またはメロディの有音データＤ０２を持った報知データＤ０を記憶手段４１から読み出し利用することにより、報知データＤ０の報知初期部分に設定される無音データＤ０１の分だけそれに続くブザー、音声またはメロディでの有音データＤ０２により報知手段３１を動作させた音声報知を、計時やそれが所定の時間に到達したことの判定などなく、１つの報知データＤ０による報知を実行するだけで遅らせ、機器からの音との重なりを回避した報知ができる。従って、機器の操作またはおよび動作変化に対応して報知手段３１を動作させてのブザー、音声またはメロディなどの音による報知を、報知データＤ０の報知初期部分に設定される無音データＤ０１の分に対応する時間ｔ１だけ遅延させられ、計時やそれが所定の時間に到達したことの判定などなく、報知初期に無音データＤ０１を含む１つの報知データＤ０を用いるだけの簡単なデータ処理にて、機器音との重なりを回避し聞き取られやすくすることができ、コストが低減する。
【００３７】
また、制御手段３４が報知手段３１の音声報知手段３１ａまたはメロディ報知手段３１ｂにて機器の操作またはおよび動作変化に対応した音声またはメロディによる報知を行う場合、既述のように報知初期部分に無音データＤ０１を持った報知データＤ０を記憶手段４１に記憶しておき、機器の操作またはおよび動作変化の際、直ちにそれらに対応して記憶された報知データＤ０を読み出し、この読み出した報知データＤ０により報知手段３１である音声報知手段３１ａまたはメロディ報知手段３１ｂを動作させて報知するようにすることもできる。これにより、制御手段３４は機器の操作またはおよび動作変化に対応して報知手段３１の音声報知手段３１ａまたはメロディ報知手段３１ｂを動作させ音声またはメロディによる報知を行うが、音声またはメロディは機器からの音と重なるとブザー音などの単純な音報知とは異なり特に聞き取りにくいものであるところ、報知初期部分の無音データＤ０１に続き音声またはメロディの有音データＤ０２を持った報知データＤ０を記憶手段４１から読み出し利用することにより、報知データＤ０の報知初期部分に設定される無音データ分Ｄ０１の分に対応する時間ｔ１だけ、それに続く音声またはメロディでの有音データＤ０２部分により報知手段３１の音声報知手段３１ａまたはメロディ報知手段３１ｂを動作させた音声報知を、計時やそれが所定の時間に到達したことの判定などなく、１つの報知データＤ０の実行で遅らせ、機器からの音との重なりを回避した報知ができる。しかも、無音データＤ０１の時間長さｔ１を機器の操作または動作変化からの機器音発生時間に対応させておけば、音声またはメロディによる報知内容の分かりやすい報知を機器の操作または動作変化に応じて直ちに開始しても機器音によって邪魔されないようにでき、無音データＤ０１による報知の遅延を必要最小限とすることができる。この結果、機器の操作またはおよび動作変化に対応した音声またはメロディによる報知を直ちに行って、しかも、報知初期部分に設定される無音データＤ０１の分だけ時間ｔ１遅延させられ、計時やそれが所定の時間に到達したことの判定などなく、報知初期部分に無音データＤ０１を含む１つの報知データＤ０による報知を実行するだけの簡単なデータ処理にて機器音との重なりを回避して聞き取られやすくすることが、無音データＤ０１による報知の遅延を必要最小限として、音声またはメロディによる分かりやすい報知を時間的なロスなく達成することができる。
【００３８】
このような報知遅延制御を、機器の異常を異常検知手段３２にて検知したとき、制御手段３４によりその異常に対応した音声またはメロディでの報知を直ちに開始するような場合、音声またはメロディによる機器異常時の分かりやすい報知を、無音データＤ０１による機器音との万一にも生じる重なりを避けながら必要最小限の遅延にて達成することができ、異常報知が聞き取られず対応が遅れたり対応されないようなことを防止できる。
【００３９】
なお、以上のような異常の検知により異常報知を直ちに行うのに、ブザー報知手段３１ｃによるブザーと音声報知手段３１ａまたはメロディ報知手段３１ｂによる異常に対応した音声またはメロディによる報知とを複合して行うのが好適である。具体的には、図４に示すように報知初期部分のブザーデータＤ０３と、報知開始からブザーデータＤ０３の報知時間ｔ２よりも長い報知時間ｔ３となる無音データＤ０１に続く音声またはメロディの有音データＤ０２を持った報知データＤ０とが複合した報知データＤ０４を用いて報知すると、有音データＤ０２での音声またはメロディによる機器異常時の分かりやすい報知を、報知初期部分の無音データＤ０１による機器音との重なりを避けた遅延状態にて達成するのに加え、機器異常時に報知初期部分のブザーデータＤ０３による報知を直ちに実行して、機器音との重なりはあっても単純な報知で音声またはメロディよりは聞き取られやすいことを利用して、有音データＤ０２による音声やメロディによる遅延した報知に先立ち使用者に機器異常をいち早く気付かせやすい。しかも、音声またはメロディによる報知データＤ０４における報知初期部分の無音データＤ０１による遅延時間ｔ３は報知データＤ０４における報知初期部分のブザーデータＤ０３の報知時間ｔ２よりも長い時間に設定されていることで、ブザー音による報知にこれより遅延して行う音声またはメロディによる報知が重なって聞き取られ難くなることも回避することができる。なお、報知データＤ０４における報知初期のブザーデータＤ０３は報知データＤ０における無音データＤ０１に重畳した１つの報知データＤ０としてスピーカなどの１つの報知手段を動作させて実行することもできる。
【００４０】
ここで、制御手段３４は予め設定されているプログラムや入力手段２１に応じて、報知データＤ０の無音データＤ０１の報知時間ｔ３を報知内容に応じて変化させるようにすると、音声またはメロディにて報知する機器異常の違いによって機器音との重なり時間に差のあることに対応することができる。
【００４１】
以上のように無音データＤ０１は、記憶手段４１に記憶された無音の連続する音声データを読み出したものであると、機器異常を音声またはメロディで報知するときの無音データＤ０１が、記憶手段４１に記憶された無音の連続する音声データ、つまり音声データとしての再生時間を稼ぐが音は再生されないデータ域となり、音声またはメロディによる報知を行う有音データＤ０２とともに１つの音声データとして設定され記憶、再生されるもので、簡単に作成し利用することができる。
【００４２】
また、このような無音データＤ０１は、記憶手段４１に記憶された無音の音声データを複数回読み出して生成することができ、これにより、無音データＤ０１は音声またはメロディでの報知を遅延させる必要時間を与えるものであるが、一定の時間単位の無音音声データを繰り返し読み出し生成する回数を変えることで報知データＤ０毎に必要な時間長さｔ３の無音データＤ０１をその時々で簡単に得ながら利用することができる。また、この方式によれば、一定の時間単位の無音音声データと繰り返し読み出し回数のデータのみを記憶させておけばよいので、記憶手段４１等の記憶容量を格段に少なくすることができる。
【００４３】
次に、制御装置１２による図５に示す具体的な報知の制御例につき説明すると、ステップＳ１で報知要求が確認されると、ステップＳ２にて報知の切り換え状態を判定する。次いでステップＳ３で異常の判定をし、ドア閉じ異常、給水異常、排水異常などの異常の報知であるときは、ステップＳ２で判定した切り換えられたモードに応じた異常の報知を行う。
【００４４】
具体的には、異常が、ドア閉じ異常であると、ステップＳ４にてドア閉じ異常に関連した報知切り換えに対応した報知データＤ０４を読み込み、ステップＳ８にて報知の切り換えに対応した報知手段３１にてステップＳ４で読み込んだ報知データＤ０４により駆動し、ドア閉じ異常であることの報知を行う。
【００４５】
異常が、給水異常であると、ステップＳ５にて給水異常に関連し、報知切り換えに対応した報知データＤ０４を読み込み、ステップＳ８にて報知の切り換えに対応した報知手段３１にてステップＳ５で読み込んだ報知データＤ０４により駆動し、給水異常であることの報知を行う。
【００４６】
異常が、排水異常であると、ステップＳ６にて排水異常に関連し、報知切り換えに対応した報知データＤ０４を読み込み、ステップＳ８にて報知の切り換えに対応した報知手段３１にてステップＳ６で読み込んだ報知データＤ０４により駆動して排水異常であることの報知を行う。
【００４７】
ステップＳ３にて異常でない場合は運転の終了であるので、ステップＳ７にて運転終了に関連し、報知切り換えに対応した報知データＤ０を読み込み、ステップＳ８にて報知の切り換えに対応した報知手段３１にてステップＳ７で読み込んだ報知データＤ０により駆動して運転が終了したことの報知を行う。
【００４８】
一方、ステップＳ２での報知の切換えが「切り」であれば、ステップＳ４〜ステップＳ８の報知は行わず、ステップＳ９にて運転終了を確認してからステップＳ１０にてブザー報知手段３１ｃによるステップＳ４〜ステップＳ８を経た場合に比し単純な報知を報知初期に無音データＤ０１を持った報知データＤ０５を読み込み、続くステップＳ１１にてブザー報知手段３１ｃを駆動し報知を行なう。
【産業上の利用可能性】
【００４９】
本発明は食器洗い機における操作や動作状態の音報知が機器音との重なりなく聞き取りやすく行える。
【図面の簡単な説明】
【００５０】
【図１】本発明に係る実施形態の食器洗い機の概略を示すブロック構成図である。
【図２】図１の食器洗い機に備えた操作パネルの模式図である。
【図３】図１の食器洗い機での制御装置が音報知するのに用いる報知データ例を示す説明図である。
【図４】図１の食器洗い機での制御装置が音報知するのに用いる別の報知データ例を示す説明図である。
【図５】図１の食器洗い機での制御装置による報知処理の具体例を示すフローチャートである。
【図６】従来の食器洗い機を示す斜視図である。
【符号の説明】
【００５１】
１  本体
１ａ  ドア
１ｂ  開口
２  洗浄槽
３  給水弁
４  洗浄ポンプ
５  ヒータ
６  排水ポンプ
７  送風ファン
８、８ａ、８ｂ  ドア開閉検知手段
９  温度検知手段
１０  水位検知手段
１２  制御装置
１３  操作パネル
１６  スタートスイッチ
２１  入力手段
２２  操作表示手段
３１  報知手段
３１ａ  音声報知手段
３１ｂ  メロディ報知手段
３１ｃ  ブザー報知手段
４１  記憶手段
【図１】
0004634329.tif 000002
【図２】
0004634329.tif 000003
【図３】
0004634329.tif 000004
【図４】
0004634329.tif 000005
【図５】
0004634329.tif 000006
【図６】
0004634329.tif 000007